(57)【要約】【課題】  収納容器内の電解液を無駄なく利用して蓄電素子の長寿命化を実現する。【解決手段】  電極体１１と、電解液と、電極体１１及び電解液を収納する、蓋部２０及び容器本体１０とから構成される収納容器と、収納容器と電極体１１との間に配置される介装体１２とを備え、介装体１２には、絶縁性及び前記電解液に対する透過性を有する第１の領域としての露出面１２ａ１が設けられている、非水電解質二次電池１。【選択図】  図１
2014199780.tif 000002
【特許請求の範囲】
【請求項１】
電極体と、
電解液と、
前記電極体及び電解液を収納する収納容器と、
前記収納容器と前記電極体との間に配置される介装体とを備え、
前記介装体には、
絶縁性及び前記電解液に対する透過性を有する第１の領域が設けられている、
蓄電素子。
【請求項２】
前記介装体には、前記電解液に対する不透性を有する第２の領域が設けられている、
請求項１に記載の蓄電素子。
【請求項３】
前記介装体の前記第１の領域は、前記収納容器の内底に対向している、
請求項１又は２に記載の蓄電素子。
【請求項４】
前記介装体の前記第１の領域は、前記収納容器の内壁と前記電極体との間隔が最も大きい箇所に位置している、
請求項１から３のいずれかに記載の蓄電素子。
【請求項５】
前記介装体の前記第１の領域は、前記収納容器が載置される面に対応する内壁に対向している、
請求項１から４のいずれかに記載の蓄電素子。
【請求項６】
前記介装体の前記第１の領域は、撓み又は皺を有する、
請求項１から５のいずれかに記載の蓄電素子。
【発明の詳細な説明】
【技術分野】
【０００１】
本発明は、例えば二次電池その他の電池等の蓄電素子に関する。
【背景技術】
【０００２】
二次電池は、一次電池の置きかえ用途はもとより、携帯電話、ＩＴ機器などの電子機器の電源として広く普及している。とりわけ、リチウムイオン二次電池に代表される非水電解質二次電池は、高エネルギー密度であることから、電気自動車などの産業用大型電気機器への応用も進められている。
【０００３】
非水電解質二次電池は、一般に導電性を有する金属製の収納容器の内部に、微多孔膜のセパレータで離隔された正負の極板を積層又は巻回してなる電極体と電解液とが封入された構成を有する（例えば特許文献１、図１等を参照）。このような非水電解質二次電池は、高出力、大容量を得るために、複数の電池を配列したモジュール化が進められている。
【先行技術文献】
【特許文献】
【０００４】
【特許文献１】特許第４２９６５２２号公報
【発明の概要】
【発明が解決しようとする課題】
【０００５】
このような従来の非水電解質二次電池においては、以下のような課題があった。すなわち、収納容器の内壁と接触して短絡することを防ぐため、電極体は、その表面が絶縁性のフィルムからなる介装体により被覆された状態で収納容器に収納されている。
【０００６】
しかしながら、絶縁性のフィルムによって、収納容器に充填された電解液と電極体とが離隔され、電極体における電池反応に関与できない電解液があった。特に収納容器の内底においては、絶縁性フィルムにより隔絶された電解液が、電池反応に寄与することなく滞留する場合があった。
【０００７】
このように、従来の非水電解質二次電池をはじめとする蓄電素子においては、収納容器内の電解液が有効に用いられないという課題があった。
【０００８】
本発明は、上記の課題に鑑みてなされたものであり、収納容器内の電解液の、電池反応への利用効率を高めた蓄電素子を提供することを目的とする。
【課題を解決するための手段】
【０００９】
上記の目的を達成するために、本発明の第１の側面は、
電極体と、
電解液と、
前記電極体及び電解液を収納する収納容器と、
前記収納容器と前記電極体との間に配置される介装体とを備え、
前記介装体には、
絶縁性及び前記電解液に対する透過性を有する第１の領域が設けられている、
蓄電素子である。
【００１０】
本発明の第２の側面は、
前記介装体には、前記電解液に対する不透性を有する第２の領域が設けられている、
本発明の第１の側面の蓄電素子である。
【００１１】
本発明の第３の側面は、
前記介装体の前記第１の領域は、前記収納容器の内底に対向している、
本発明の第１又は第２の側面の蓄電素子である。
【００１２】
本発明の第４の側面は、
前記介装体の前記第１の領域は、前記収納容器の内壁と前記電極体との間隔が最も大きい箇所に位置している、
本発明の第１から第３のいずれかの側面の蓄電素子である。
【００１３】
本発明の第５の側面は、
前記介装体の前記第１の領域は、前記収納容器が載置される面に対応する内壁に対向している、
本発明の第１から第４のいずれかの側面の蓄電素子である。
【００１４】
本発明の第６の側面は、
前記介装体の前記第１の領域は、撓み又は皺を有する、
本発明の第１から第５のいずれかの側面の蓄電素子である。
【発明の効果】
【００１５】
以上のような本発明は、蓄電素子において収納容器内の電解液の、電池反応への利用効率を高めて、長寿命を獲得することが可能になるという効果を奏する。
【図面の簡単な説明】
【００１６】
【図１】本発明の実施の形態１に係る非水電解質二次電池の構成を示す分解斜視図
【図２】本発明の実施の形態１に係る非水電解質二次電池の構成を示す正面図
【図３】本発明の実施の形態１に係る非水電解質二次電池の構成を示す側面図
【図４】（ａ）本発明の実施の形態１に係る非水電解質二次電池の製造工程を説明するための図（ｂ）本発明の実施の形態１に係る非水電解質二次電池の製造工程を説明するための図
【図５】本発明の実施の形態１に係る非水電解質二次電池の作用効果を説明するための図
【図６】本発明の実施の形態１に係る非水電解質二次電池の他の構成例を示す側面図
【図７】本発明の実施の形態２に係る非水電解質二次電池の構成を示す要部斜視図
【図８】本発明の実施の形態２に係る非水電解質二次電池の構成を示す側面図
【図９】本発明の非水電解質二次電池の他の構成例を示す要部斜視図
【図１０】本発明の非水電解質二次電池の他の構成例を示す要部斜視図
【図１１】本発明の実施の形態１に係る非水電解質二次電池の他の構成例を示す側面図
【発明を実施するための形態】
【００１７】
以下、本発明の実施の形態について、図面を参照しながら説明する。
【００１８】
（実施の形態１）
図１は、本発明の実施の形態１に係る非水電解質二次電池１の構成を、一部を分解した状態で模式的に示す斜視図であり、図２は非水電解質二次電池１の正面図、図３は同側面図である。
【００１９】
図１〜図３の各図に示すように、非水電解質二次電池１は、アルミニウム製の開口箱状の容器本体１０と、容器本体１０の開口１０ｘを封止する、容器本体と同一材料製の板状の蓋部２０とから構成される外形六面体状の収納容器を外装として備える。なお、非水電解質電池１の内部構成を説明するため、容器本体１０は、図１においては破線により輪郭を示し、要部を透視図として示した。同様の理由により、容器本体１０は、図２中においては、容器本体１０自身の長側面に平行な面で切断した断面図として示し、図３中においては、容器本体１０自身の短側面に平行な面で切断した断面図として示した。
【００２０】
容器本体１０の内部空間１０ｚには、帯状の電極である正極と負極を、間にセパレータを介して長円筒形に巻回した構成を有する電極体１１が配置されている。なお、図１においては、説明のため、電極体１１は蓋部２０と組み合わされ、容器本体１０から半ば抜き出された状態として示した。
【００２１】
電極体１１においては、最外周に露出するセパレータ１１ａ１を間に介し、巻回軸の両端に正負両極の金属箔が露出し、金属箔露出部として容器本体１０の一対の短手側の側面にそれぞれ位置している。なお、図中には正極側の金属箔である正極側金属箔露出部１１ａ２近傍の構成のみ符号を付して説明するが、負極側も同様である。
【００２２】
正極側金属箔露出部１１ａ２は蓋部２０に固定された集電体１１ａ３に接続され、集電体１１ａ３及び正極側金属箔露出部１１ａ２は薄い金属板製の挟持板１１ａ４に挟まれて溶接、固定される。集電体１１ａ３は蓋部２０上に位置する金属製の中継板２２と、かしめや圧着等の周知の技術的手段により電気的、機械的に接続されており、更に中継板２２は外部接続用の電極端子２３と電気的に接続されている。これにより、電極体１１から収納容器の外部に電気が取り出される。
【００２３】
電極端子２３と電極体１１とを結ぶ導電路は、絶縁体である合成樹脂製のパッキン２１によって収納容器と絶縁されている。パッキン２１は収納容器内部からの電解液の漏出を防ぐために導電路と収納容器との間の空間、隙間を密封する役割も果たす。
【００２４】
次に、電極体１１の側面及び底面であって、容器本体１０の、内底１０ｙを含む内壁に対向する面は、絶縁性の被覆フィルム１２ａ及び１２ｂから構成される介装体１２により被覆されている。すなわち、電極体１１の側面及び底面と、容器本体１０の内面との間には、電極体１１と容器本体１０とを絶縁するための介装体１２が配置されている。なお、電極体１１等を示す便宜上、図２においては、被覆フィルム１２ａは一点鎖線により輪郭のみ示した。同様に、被覆フィルム１２ｂは点線により輪郭のみ示した。また、図３においては、被覆フィルム１２ａ及び１２ｂは介装体１２の断面図として示した。
【００２５】
被覆フィルム１２ａ及び１２ｂはそれぞれ帯状の外形を有し、図４（ａ）（ｂ）に模式的に示すように、被覆フィルム１２ａが、電極体１１を、その巻回方向に沿って、容器本体１０の正面及び背面に対応する主面、並びに内底１０ｙに対向する底面を包んだ後、被覆フィルム１２ｂが被覆フィルム１２ａごと電極体１１の側面に引き回されることにより介装体１２は完成する。なお、本実施形態においては、図３に示す被覆フィルム１２ａ及び１２ｂの境界１２ｂ１は密着され、これにより介装体１２は一体化して開口１２ｘを有する袋状に形成されている。ただし、境界１２ｂ１は密着させずに、被覆フィルム１２ａと被覆フィルム１２ｂとの間に隙間が形成されていてもよい。
【００２６】
また、図４（ａ）においては、説明の便宜上、被覆フィルム１２ａ以外の構成要素は点線にて示した。同様に、図４（ｂ）において被覆フィルム１２ｂ以外の構成要素は点線にて示した。
【００２７】
また、蓋部２０には、容器本体１０がレーザ溶接等により封止された後に電解液を注入するための注入口２４ｘが設けられており、電解液注入後は封止栓２４により封止され、レーザ溶接等により封止栓２４ｘの周囲を溶接することにより、非水電解質二次電池１は完成される。
【００２８】
以上の構成において、非水電解質二次電池１は本発明の蓄電素子に相当し、容器本体１０と蓋部２０の組合せは本発明の収納容器に相当し、容器本体１０は本発明の容器本体に相当し、蓋部２０は本発明の蓋部に相当する。また、介装体１２は本発明の介装体に相当する。
【００２９】
このような構成を有する本実施の形態による非水電解質二次電池１は、介装体１２において、容器本体１０の内底１０ｙと対向する面を有する被覆フィルム１２ａが電解液に対する透過性を有することを特徴とする。
【００３０】
すなわち、従来の非水電解質二次電池においては、電極体は、収納容器との絶縁状態を確保するために介装体により被覆されるが、電極体は収納容器内にて介装体を介した状態で電解液に含浸されることとなり、電解液の一部は介装体によって電極体から遮られた状態で収納容器内に滞留し、電池反応に関与することができなくなっていた。
【００３１】
これに対し、本実施の形態においては、介装体１２を二つの被覆フィルム１２ａ及び１２ｂの組合せとして構成し、電極体１１の側面に引き回されて容器本体の側面部に対向する被覆フィルム１２ｂは従来例同様ポリエチレン、ポリプロピレン等の、絶縁性の合成樹脂製のフィルムにより作成する一方、容器本体１０の内底１０ｙ及び長手方向の内壁１０ａに対向して露出する被覆フィルム１２ａは、絶縁性とともに、電解液に対する透過性、吸収性を有する多孔質の合成樹脂製のフィルム、織布又は不織布により作成する。
【００３２】
これにより、図３及び、図５の模式的透視図に示すように、容器本体１０の内底１０ｙ近傍の内部空間１０ｚ１に滞留する電解液は、被覆フィルム１２ａを介して電極体１１側へ往来することが可能となる。これにより、介装体１２の外側の電解液を介装体１２の内側に導入して、収納容器内の電解液の電池反応への利用効率を高めることができる。また、電解液の利用効率を高めることにより、非水電解質二次電池１の長寿命化を実現することも可能となる。ここで被覆フィルム１２ａの露出面１２ａ１は、本発明の第１の領域に相当し、被覆フィルム１２ａ及び被覆フィルム１２ｂが重なり合った部分及び被覆フィルム１２ｂが単体で露出した部分は、本発明の第２の領域に相当する。
【００３３】
なお、上記の説明においては、露出面１２ａ１は、容器本体１０の内底１０ｙ及び内壁１０ａに対向して設けられるものとしたが、容器本体１０の内底１０ｙに対向する側は省略して、容器本体１０の内壁１０ａに対向する側にのみ設けるようにしてもよい。
【００３４】
これは以下の理由に基づく。すなわち、図１〜３等に示すように、蓋部２０を鉛直上方に向け、容器本体１０の底面を載置面として非水電解質二次電池１を用いる場合、収納容器の内部空間１０ｚにおいて、電解液は容器本体１０の内底１０ｙ近傍の内部空間１０ｚ１を常時満たすこととなるが、局所的に見て、収納容器の内部空間１０ｚ１において滞留する電解液の占める割合が最大となる箇所は、巻回軸に直交する断面が長円形である電極体１１の外形に起因して、容器本体１０と電極体１１の間隔が最大となる、電極体１１の湾曲した側端１１Ｒと容器本体１０の隅１０ｂとの間となっており、内底１０ｙと対向する部分においては逆に小さくなっている。
【００３５】
そこで、露出面１２ａ１は、内部空間１０ｚ１において電解液が占める割合が最大となる、容器本体の隅１０ｂに対向する面にのみ形成されるようにしてもよく、これにより直接的かつ速やかに電解液を電極体１１へ導入させることができる。
【００３６】
要するに、本発明の第１の領域は、収納容器内において、少なくとも、電極体と収納容器の内壁との距離が最も大きくなる箇所であれば、任意の箇所に設けるようにしてもよく、これにより、収納容器及び電極体の形状に依存することなく、電解液の直接的かつ速やかな導入が実現できる。ただし、直方体状の容器本体１０の内底１０ｙは、電解液が滞留しやすい箇所であり、電解液の利用効率を確保するためには、これと対向する面に第１の領域を位置させることが好適である。
【００３７】
また、上記の説明においては、非水電解質二次電池１は、容器本体１０の底面を載置した状態で用いられ、底面の裏面である内底１０ｙに対向して露出面１２ａ１が設けられるものとしたが、図１１に示すように、容器本体１０の長手方向の内壁１０ｗ１に対向して設けるようにしてもよい。この構成においては、鉛直下方を示す図中矢印Ｄに従って、容器本体１０の内壁１０ｗ１の外側である側面１０ｗ２を載置面として、非電解質二次電池は言わば横倒しにして用いられる。この場合、電解液は、収納容器の内部空間１０ｚにおいて内壁１０ｗ１の近傍の内部空間１０ｚ３を常時満たすこととなり、内壁１０ｗ１に対向する露出面１２ａ１を介することで電極体１１側に導入される。
【００３８】
このように、本発明の第１の領域は、蓄電素子としての非水電解質二次電池の使用状態において収納容器の載置面となる面の裏面に対応する内壁に対向する箇所であれば、任意の箇所に設けるようにしてもよい。電解液が常時に満たされている空間に第１の領域が確実に位置することとなり、電解液を電極体に導入させることができる。
【００３９】
また、上記の説明においては、被覆フィルム１２ａの露出面１２ａ１は一様な面であるとして説明を行ったが、表面に皺、縮み、又は撓みを持たせるようにしてもよい。この場合、露出面１２ａ１における電解液の吸収面積が増大することとなり、内部空間１０ｚに滞留する電解液をさらに内部空間１０ｚ１側に凝集させて、電解液の利用効率を高めることが可能となる。
【００４０】
更に、露出面１２ａ１の変形例としては、図６の模式的透視図に示すように、内底１０ｙの長辺に略平行に沿って延びる複数の凸列１２１を有する露出面１２ｃ１を備えた構成としてもよい。凸列１２１は、被覆フィルム１２ａ１を蛇腹状に折曲げて形成されたものである。
【００４１】
図１及び図２に示すように、注入口２４は、蓋部２０から見て露出面１２ｃ１のほぼ中央に位置することから、蓋部２０から注入された電解液は、凸列１２１に沿って流動することとなり、収納容器内への電解液の注入をスムーズ且つムラ無く行うことができる。また、凸列１２１は内底１０ｙと電極体１１との間の緩衝材として機能し、非水電解質二次電池への衝撃により電極体１１が内底１０ｙに接触することを防ぐ効果を奏する。
【００４２】
（実施の形態２）
本発明の実施の形態２による非水電解質二次電池は、単一のフィルム材料により介装体を構成したものである。
【００４３】
図７は、非水電解質二次電池において、単一の被覆フィルムを袋状に形成してなる介装体１３により電極体１１を被覆した構成を示すものであり、電極体１１の側面を被覆する側面被覆１３ｂと、収納容器に収納された状態にて容器本体１０の底面１０ｙと対向する側を被覆する底面被覆１３ａとを有するものである。なお、図中には容器本体１０は省略して示した。
【００４４】
図８の、電極体１１の巻回軸に直交する断面図にて示すように、介装体１３は、被覆フィルム１２ａと同様の絶縁性及び電解液に対する透過性、吸収性を有する中間層１３ｂ１と、中間層１３ｂ１の両面に張り合わされた、被覆フィルム１２ｂと同様の絶縁性及び電解液に対する不透性を有する表面層１３ｂ２とから構成された積層フィルムにより作成される。
【００４５】
底面被覆１３ａは、積層フィルムから表面層１３ｂ２を除去して中間層１３ｂ１のみにより形成されたものである、側面被覆１３ｂは未加工の積層フィルム、すなわち中間層１３ｂ１と一対の表面層１３ｂ２により形成されたものである。ここで底面被覆１３ａは本発明の第１の領域に相当し、側面被覆１３ｂは本発明の第２の領域に相当する。
【００４６】
本実施の形態によれば、実施の形態１の効果に加えて、更に以下の効果が得られる。すなわち、個別の被覆フィルムを複数枚用いる実施の形態１に対して、フィルムの厚みを小さくとることができ、収納容器の裕度を大きくとって、電解液の収蔵量の増加を図ることができる。また、電極体１１を容器本体１０に組み込む際に、被覆フィルムが開口１０ｘと接触して損傷、又は電極体１１からの剥離を抑制することが可能となる。
【００４７】
なお、上記の説明においては、介装体１３は、中間層ｂ１と中間層ｂ１の両面に張り合わされた表面層ｂ２の３層構造であるとして説明を行ったが、表面層ｂ２を一層のみ有する２層構造としてもよい。このとき、表面層１３ｂ２は電極体１１に対向する側、容器本体１０の内壁に対向する側のいずれに設けてもよいが、被覆フィルムが開口１０ｘと接触することを考慮して、容器本体１０の内壁に対向する側に設けるほうが好適である。
【００４８】
更に、積層フィルムにおいて、中間層１３ｂ１のような絶縁性及び電解液に対する透過性、吸収性を有する層、表面層１３ｂ２のような絶縁性及び電解液に対する不透性を有する層とは、完成後の介装体において本発明の第１の領域が形成されるものであれば、任意の層数であってもよい。
【００４９】
以上のように、本発明の各実施の形態の非水電解質二次電池によれば、電極体を被覆する被覆フィルムの一部において、電解液に対する透過性を与えるようにしたことにより、収納容器の内部空間１０ｚ１に滞留する電解液を、底面被覆１３ａを介して電極体１１側へ往来させることが可能となり、これにより、収納容器内の電解液の、電極体１１における電池反応への利用効率を高めることができる。さらには、非水電解質二次電池１の長寿命化を実現することができる。
【００５０】
しかしながら、本発明は上記の実施の形態に限定されるものではない。
【００５１】
上記の実施の形態においては、本発明の介装体は、電解液に対する透過性を有する第１の領域と、電解液に対する不透性を有する第２の領域とを有するものとしたが、第１の領域のみを有するものとしてもよい。
【００５２】
図９に示す構成例において、電極体１１の正負両極の集電体及び挟持板並びに内底１０ｙとの対向面を主に被覆する、籠形状の介装体１４は、被覆フィルム１２ａと同様、絶縁性及び電解液に対する透過性、吸収性を有する多孔質の合成樹脂製のフィルム、織布又は不織布により作成される。したがって、介装体１４は容器本体１０の底面１０ｙとの対向面となる底面被覆１４ａを含めた全ての壁面を介して電解液を電極体１１側へ往来させることができる。なお、介装体１４は、複数のフィルムを組み合わせることにより籠形状に形成されるものであってもよいし、単一のフィルムから構成されるものであってもよい。なお、図９においては、説明の便宜上、介装体１４以外の構成要素は点線にて示した。
【００５３】
また、介装体の形状は、図９に示す籠形状のものの他、実施の形態１、２に示す袋状のものとしてもよい。更に、実施の形態１、２に示す介装体を、介装体１４と同形のものとしてもよい。
【００５４】
また、上記の説明においては、本発明の電極体は巻回型であるとしたが、積層型の電極体としてもよい。
【００５５】
更に、上記の説明においては、電極体は単体であるとしたが、複数の電極体を有する構成としてもよい。図１０には例示として、実施の形態１を、巻回軸を並列して配置される電極体１１ａ及び１１ｂに備えた非水電解質二次電池に対して適用した構成を示した。
【００５６】
特に巻回型の電極体を用いた場合、巻回軸に直交する断面形状は長円又は楕円状に変形しており、収納容器の内壁との距離は一様ではない。また、容器本体１０への電極体の組込みを簡便且つ安全に行うため、介装体の形状を電極体に精度良く追従させた場合においては、特に、電極体１１ａと１１ｂとの間隙である内部空間１０ｚ３に示すように、収納容器内に収納される電極体の個数が増加するにしたがって、介装体内に封入され、電池反応に利用される電解液量が減少する恐れがある。
【００５７】
このような電極体の構成に対して、本発明のように、介装体の収納容器の内底１０ｙに対向する側を、電解液に対する透過性を有する露出面１２ａ１として形成し、収納容器側から電解液の補充を行わせることにより、電池反応への電解液の利用効率を高めることができ、更には、電池の長寿命化を実現することができる。
【００５８】
また、上記の説明においては、本発明の蓄電素子は、リチウムイオン二次電池に代表される非水電解質二次電池１であるとしたが、電気化学反応により充放電可能な電池であれば、ニッケル水素電池その他各種の二次電池を用いてもよい。また、一次電池であってもよい。要するに、本発明の蓄電素子は電極体と電解液を収納容器内に封入してなる電気を蓄積可能な素子であれば、起電力を発生させるための具体的な方式によって限定されるものではない。
【００５９】
また、上記の説明においては、容器本体１０及び蓋部２０から構成される収納容器は、本発明の収納容器に相当するものであり、電極体１１は蓋部２０に接続され、電極端子２３等は蓋部２０側に設けられるものとしたが、本発明は、介装体が電極体と収納容器との間に位置していればよく、収納容器は蓋部と容器本体との組合せの具体的態様に限定されるものではない。
【００６０】
また、容器本体１０はアルミニウム製であるとしたが、アルミニウム合金、ステンレスその他任意の金属又は金属化合物、樹脂、又はアルミニウムラミネートを材料とするものであってもよい。また、形状は外形六面体としたが、底面が三角形、又は五角形以上の多角形である角柱形状であるとしてもよい。更には円筒形状であってもよい。
【００６１】
また、上記の説明においては、単体の非水電解質二次電池１を例に取ったが、本発明は、複数の蓄電素子において少なくとも一つの蓄電素子に本発明の蓄電素子を含んでなる、電源モジュールとして実現してもよい。
【００６２】
要するに、本発明は、その要旨を逸脱しない範囲内であれば、以上説明したものを含め、上記実施の形態に種々の変更を加えたものとして実施してもよい。
【産業上の利用可能性】
【００６３】
以上のような本発明は、蓄電素子において収納容器内の電解液の、電池反応への利用効率を高めることが可能になる効果を有し、例えば二次電池のような蓄電素子において有用である。
【符号の説明】
【００６４】
１        非水電解質二次電池
１０      容器本体
１０ａ      側壁
１０ｂ      隅
１０ｘ      開口
１０ｙ      底面
１０ｚ      内部空間
１０ｚ１      内部空間
１１、１１ａ、１１ｂ      電極体
１１ａ１      セパレータ
１１ａ２      電極
１１ａ３      集電体
１１ａ４      挟持板
１１Ｒ      側端
１０ｚ１      空隙
１２、１３、１４    介装体
１２ａ、１２ｂ      被覆フィルム
１２ａ１  露出面
２１      パッキン
２２      中継板
２３      電極端子
２４      注入口
２５      封止栓
【図１】
2014199780.tif 000003
【図２】
2014199780.tif 000004
【図３】
2014199780.tif 000005
【図４】
2014199780.tif 000006
【図５】
2014199780.tif 000007
【図６】
2014199780.tif 000008
【図７】
2014199780.tif 000009
【図８】
2014199780.tif 000010
【図９】
2014199780.tif 000011
【図１０】
2014199780.tif 000012
【図１１】
2014199780.tif 000013